【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
撮影する画像を入力する画像入力手段と、
前記の入力画像に含まれる１以上の被写体の顔を検出する顔検出手段と、
前記の各検出顔の属性情報を検出する顔属性検出手段と、
前記顔属性検出手段が検出した前記の各検出顔の属性情報の相互関係に基づいて被写体間の仲良し度を評価して、該仲良し度を表す第１の評価値を出力する仲良し度演算手段と、
前記第１の評価値に基づいて、前記の入力画像を撮影するタイミングを判定する撮像判定手段と、
を具備することを特徴とする画像撮影装置。
【請求項２】
撮影する画像を入力する画像入力手段と、
前記の入力画像に含まれる１以上の被写体の顔を検出する顔検出手段と、
前記の各検出顔の位置又は角度のなす相互関係を評価して、該評価結果を表す第２の評価値を出力する配置評価手段と、
前記第２の評価値に基づいて、前記の入力画像を撮影するタイミングを判定する撮像判定手段と、
を具備することを特徴とする画像撮影装置。
【請求項３】
前記の各検出顔の属性情報を検出する顔属性検出手段と、
前記顔属性検出手段が検出した前記の各検出顔の属性情報の相互関係に基づいて被写体間の仲良し度を評価して、該仲良し度を表す第１の評価値を出力する仲良し度演算手段と、
をさらに備え、
前記撮影判定手段は、前記第２の評価値及び第１の評価値に基づいて、前記の入力画像を撮影するタイミングを判定する、
ことを特徴とする請求項２に記載の画像撮影装置。
【請求項４】
前記配置評価手段は、前記の各検出顔の位置又は角度のなす相互関係を所定の位置パターン、角度パターン、又は位置及び角度の組み合わせからなる位置・角度パターンと比較計算して、いずれかのパターン又はすべてのパターンとの比較結果を基に前記第２の評価値を求める、
ことを特徴とする請求項２又は３のいずれかに記載の画像撮影装置。
【請求項５】
前記配置評価手段は、一体感のある写真を撮り易くなる各検出顔の配置となり、又は、被写体同士が仲の良いことを表す各検出顔の配置となる前記の位置パターン、角度パターン、又は位置・角度パターンを用いる、
ことを特徴とする請求項２又は３のいずれかに記載の画像撮影装置。
【請求項６】
前記配置評価手段は、前記の各検出顔の位置を、２以上の検出顔の高さが揃い、又は、３以上の検出顔がほぼ直線状に並ぶ位置パターンと比較計算して、前記第２の評価値を求める、
ことを特徴とする請求項２又は３のいずれかに記載の画像撮影装置。
【請求項７】
前記配置評価手段は、３以上の検出顔の位置を頂点とする多角形からなる位置パターンと比較計算して、前記第２の評価値を求める、
ことを特徴とする請求項２又は３のいずれかに記載の画像撮影装置。
【請求項８】
前記配置評価手段は、２つの検出顔が内側を向く、あるいは複数の検出顔の向きが一定方向に揃う角度パターンと比較計算して、前記第２の評価値を求める、
ことを特徴とする請求項２又は３のいずれかに記載の画像撮影装置。
【請求項９】
前記の入力画像内で、各検出顔の位置が時間的に変化する速度を演算する速度演算手段、又は、各検出顔の角度が時間的に変化する角速度を演算する角速度演算手段をさらに備え、
前記仲良し度演算手段は、さらに各検出顔の速度又は角速度を考慮して、仲良し度を評価する、
ことを特徴とする請求項１又は３のいずれかに記載の画像撮影装置。
【請求項１０】
前記仲良し度演算手段は、前記顔属性検出手段により検出された各検出顔の笑顔度を考慮して、仲良し度を評価する、
ことを特徴とする請求項１又は３のいずれかに記載の画像撮影装置。
【請求項１１】
前記仲良し度演算手段は、各検出顔の距離と、各検出顔の傾きの差分と、前記顔属性検出手段により検出された各検出顔の笑顔度に基づいて仲良し度を評価する、
ことを特徴とする請求項１又は３のいずれかに記載の画像撮影装置。
【請求項１２】
前記仲良し度演算手段は、各検出顔の距離と、各検出顔の傾きの差分と、前記顔属性検出手段により検出された各検出顔の笑顔度を重み計算して、仲良し度を評価する、
ことを特徴とする請求項３に記載の画像撮影装置。
【請求項１３】
前記の入力画像内で各検出顔の位置が時間的に変化する速度を演算する速度演算手段をさらに備え、
前記仲良し度演算手段は、各検出顔の移動速度と、前記顔属性検出手段により検出される（笑顔度以外の）属性情報に基づいて、各検出顔の距離に対する重みを決定する、
ことを特徴とする請求項１２に記載の画像撮影装置。
【請求項１４】
前記仲良し度演算手段は、各検出顔から前記顔属性検出手段により検出される性別並びに年齢を考慮して各検出顔の距離に対する重みを決定する、
ことを特徴とする請求項１２に記載の画像撮影装置。
【請求項１５】
前記の入力画像内で各検出顔の角度が時間的に変化する角速度を演算する角速度演算手段をさらに備え、
前記仲良し度演算手段は、各検出顔の角速度に基づいて、各検出顔の傾きの差分に対する重みを決定する、
ことを特徴とする請求項１２に記載の画像撮影装置。
【請求項１６】
前記仲良し度演算手段は、前記顔属性検出手段により検出される（笑顔度以外の）属性情報に基づいて、各検出顔の笑顔度に対する重みを決定する、
ことを特徴とする請求項１２に記載の画像撮影装置。
【請求項１７】
前記撮影判定手段は、前記第２の評価値及び第１の評価値を重み計算した評価値Ｈに基づいて、前記の入力画像を撮影するタイミングを判定する、
ことを特徴とする請求項３に記載の画像撮影装置。
【請求項１８】
複数の撮影モードを備え、
前記撮影判定手段は、前記第２の評価値及び第１の評価値の各々に対する重みα及びβを、現在の撮影モードに応じて決定する、
ことを特徴とする請求項３に記載の画像撮影装置。
【請求項１９】
撮影する画像を入力する画像入力手段と、
前記の入力画像を画面に表示する表示手段と、
前記の入力画像に含まれる１以上の被写体の顔を検出する顔検出手段と、
前記の各検出顔の属性情報を検出する顔属性検出手段と、
前記顔属性検出手段が検出した前記の各検出顔の属性情報の相互関係に基づいて被写体間の仲良し度を評価して、該仲良し度を表す第１の評価値を出力する仲良し度演算手段と、
前記第１の評価値の大きさに応じて、前記表示手段の画面に表示するアニメーションを制御するアニメーション制御手段と、
前記第１の評価値に基づいて、前記の入力画像を撮影するタイミングを判定する撮像判定手段と、
を具備することを特徴とする画像撮影装置。
【請求項２０】
前記仲良し度演算手段は、各検出顔の距離と、前記顔属性検出手段により検出された各検出顔の笑顔度に基づいて仲良し度を評価し、
前記アニメーション制御手段は、前記第１の評価値が所定の閾値に達しないときに、前記被写体に対して被写体間の距離を縮める動作又は笑顔度を高める動作を支援するためのアニメーションの画面表示を制御する、
ことを特徴とする請求項１９に記載の画像撮影装置。
【請求項２１】
前記アニメーション制御手段は、前記第１の評価値が所定の閾値を超えて前記撮影判定手段が前記の入力画像を撮影するタイミングを判定した際に、前記第１の評価値の大きさを視覚化したアニメーションの画面表示を制御する、
ことを特徴とする請求項１９に記載の画像撮影装置。
【請求項２２】
所定の仲良し度判定期間にわたる前記仲良し度演算手段から出力される第１の評価値を統計処理して被写体間の人間関係を判定する人間関係判定手段をさらに備える、
ことを特徴とする請求項１９に記載の画像撮影装置。
【請求項２３】
前記人間関係判定手段が判定した被写体間の人間関係に応じたデコレーションを撮影画像に付加するデコレーション付加手段をさらに備える、
ことを特徴とする請求項２２に記載の画像撮影装置。
【請求項２４】
前記人間関係判定手段が判定した被写体間の人間関係を撮影画像の付加情報として記録する付加情報記録手段をさらに備える、
ことを特徴とする請求項２２に記載の画像撮影装置。
【請求項２５】
コンピュータを用いて画像の撮影制御を行なう画像撮影方法であって、
前記コンピュータが備える顔検出手段が、入力画像に含まれる１以上の被写体の顔を検出する顔検出ステップと、
前記コンピュータが備える顔属性検出手段が、前記の各検出顔の属性情報を検出する顔属性検出ステップと、
前記コンピュータが備える仲良し度演算手段が、前記顔属性検出ステップにおいて検出した前記の各検出顔の属性情報の相互関係に基づいて被写体間の仲良し度を評価して、該仲良し度を表す第１の評価値を出力する仲良し度演算ステップと、
前記コンピュータが備える撮影判定手段が、前記第１の評価値に基づいて、前記の入力画像を撮影するタイミングを判定する撮像判定ステップと、
を有することを特徴とする画像撮影方法。
【請求項２６】
コンピュータを用いて画像の撮影制御を行なう画像撮影方法であって、
前記コンピュータが備える顔検出手段が、入力画像に含まれる１以上の被写体の顔を検出する顔検出ステップと、
前記コンピュータが備える顔属性検出手段が、前記の各検出顔の属性情報を検出する顔属性検出ステップと、
前記コンピュータが備える配置評価手段が、前記の各検出顔の位置又は角度のなす相互関係を評価して、該評価結果を表す第２の評価値を出力する配置評価ステップと、
前記コンピュータが備える仲良し度演算手段が、前記顔属性検出ステップにおいて検出した前記の各検出顔の属性情報の相互関係に基づいて被写体間の仲良し度を評価して、該仲良し度を表す第１の評価値を出力する仲良し度演算ステップと、
前記コンピュータが備える撮影判定手段が、前記第２の評価値及び第１の評価値に基づいて、前記の入力画像を撮影するタイミングを判定する撮像判定ステップと、
を有することを特徴とする画像撮影方法。
【請求項２７】
コンピュータを用いて画像の撮影制御を行なう画像撮影方法であって、
前記コンピュータが備える顔検出手段が、入力画像に含まれる１以上の被写体の顔を検出する顔検出ステップと、
前記コンピュータが備える顔属性検出手段が、前記の各検出顔の属性情報を検出する顔属性検出ステップと、
前記コンピュータが備える仲良し度演算手段が、前記顔属性検出ステップにおいて検出した前記の各検出顔の属性情報の相互関係に基づいて被写体間の仲良し度を評価して、該仲良し度を表す第１の評価値を出力する仲良し度演算ステップと、
前記コンピュータが備えるアニメーション制御手段が、前記第１の評価値の大きさに応じて、画面に表示するアニメーションを制御するアニメーション制御ステップと、
前記コンピュータが備える撮像判定手段が、前記第１の評価値に基づいて、前記の入力画像を撮影するタイミングを判定する撮像判定ステップと、
を有することを特徴とする画像撮影方法。
【請求項２８】
画像の撮影制御を行なうための処理をコンピュータ上で実行するようにコンピュータ可読形式で記述されたコンピュータ・プログラムであって、前記コンピュータを、
撮影する画像を入力する画像入力手段と、
前記の入力画像に含まれる１以上の被写体の顔を検出する顔検出手段と、
前記の各検出顔の属性情報を検出する顔属性検出手段と、
前記顔属性検出手段が検出した前記の各検出顔の属性情報の相互関係に基づいて被写体間の仲良し度を評価して、該仲良し度を表す第１の評価値を出力する仲良し度演算手段と、
前記第１の評価値に基づいて、前記の入力画像を撮影するタイミングを判定する撮像判定手段、
として機能させるためのコンピュータ・プログラム。
【請求項２９】
画像の撮影制御を行なうための処理をコンピュータ上で実行するようにコンピュータ可読形式で記述されたコンピュータ・プログラムであって、前記コンピュータを、
撮影する画像を入力する画像入力手段と、
前記の入力画像に含まれる１以上の被写体の顔を検出する顔検出手段と、
前記の各検出顔の属性情報を検出する顔属性検出手段と、
前記の各検出顔の位置又は角度のなす相互関係を評価して、該評価結果を表す第２の評価値を出力する配置評価手段と、
前記顔属性検出手段が検出した前記の各検出顔の属性情報の相互関係に基づいて被写体間の仲良し度を評価して、該仲良し度を表す第１の評価値を出力する仲良し度演算手段と、
前記第２の評価値及び第１の評価値に基づいて、前記の入力画像を撮影するタイミングを判定する撮像判定手段、
として機能させるためのコンピュータ・プログラム。
【請求項３０】
画像の撮影制御を行なうための処理をコンピュータ上で実行するようにコンピュータ可読形式で記述されたコンピュータ・プログラムであって、前記コンピュータを、
撮影する画像を入力する画像入力手段、
前記の入力画像を画面に表示する表示手段、
前記の入力画像に含まれる１以上の被写体の顔を検出する顔検出手段、
前記の各検出顔の属性情報を検出する顔属性検出手段、
前記顔属性検出手段が検出した前記の各検出顔の属性情報の相互関係に基づいて被写体間の仲良し度を評価して、該仲良し度を表す第１の評価値を出力する仲良し度演算手段、
前記第１の評価値の大きさに応じて、前記表示手段の画面に表示するアニメーションを制御するアニメーション制御手段、
前記第１の評価値に基づいて、前記の入力画像を撮影するタイミングを判定する撮像判定手段、
として機能させるためのコンピュータ・プログラム。